(57)【要約】【課題】ブラシが摩耗して整流子電動機が駆動できなくなる前に対応時間を確保できる整流子電動機等を提供する。【解決手段】モータ部３００は、整流子３６０の外周に対向して配置されたブラシ装置１０を備える。ブラシ装置１０は、整流子３６０と通電するブラシ１１と、内側にブラシ１１が移動可能に配置されたブラシホルダー１２と、ブラシ１１を整流子３６０に押し付けるバネ１３と、ブラシホルダー１２の一側方に設けられブラシホルダー１２に向けて光を発する発光部４０と、発光部４０の他側方に設けられた受光部５０と、を備える。ブラシホルダー１２には発光側貫通孔２０と受光側貫通孔３０とが形成される。そして、受光部５０の受光量が第１の基準量以上の場合にブラシ１１の摩耗を検知する検知部８１と、受光部５０の受光量が第１の基準量より小さい第２の基準量以上の場合に報知する報知部８３とを備える。【選択図】図１３
2019161784.tif 000002
【特許請求の範囲】
【請求項１】
回転子の回転軸に固定された整流子と、
前記整流子の外周に対向して配置されたブラシ装置と、を備え、
前記ブラシ装置は、
前記整流子の外周面に接触して前記整流子と通電するブラシと、
筒状を呈し、内側に前記ブラシが予め設定された移動方向に沿って移動可能に配置されたブラシホルダーと、
前記ブラシホルダーの内側に配置され、前記ブラシを前記整流子の外周面に押し付けるバネと、
前記ブラシホルダーの一側方に設けられ、前記ブラシホルダーに向けて光を発する発光部と、
前記発光部と前記ブラシホルダーを挟む反対側に設けられ、前記発光部が発した光を受光可能な受光部と、を備え、
前記ブラシホルダーの前記発光部と対向する側面には、発光側貫通孔が形成され、
前記ブラシホルダーの前記受光部と対向する側面には、受光側貫通孔が形成され
前記受光部の受光量が予め設定された第１の基準量以上になった場合に、前記ブラシの摩耗限界を検知する検知部と、
前記受光部の受光量が前記第１の基準量より小さい値に予め設定された第２の基準量以上になった場合に報知する報知部と、をさらに備えた整流子電動機。
【請求項２】
前記発光側貫通孔は、前記移動方向に沿って２つ形成される請求項１に記載の整流子電動機。
【請求項３】
前記受光側貫通孔は、前記移動方向に沿って２つ形成される請求項１又は請求項２に記載の整流子電動機。
【請求項４】
前記発光側貫通孔は、前記移動方向に垂直な方向の幅寸法が前記移動方向に沿った位置に応じて異なる請求項１に記載の整流子電動機。
【請求項５】
前記受光側貫通孔は、前記移動方向に垂直な方向の幅寸法が前記移動方向に沿った位置に応じて異なる請求項１又は請求項４に記載の整流子電動機。
【請求項６】
前記受光部の受光量が前記第１の基準量以上になってから予め設定された猶予時間の経過後に当該整流子電動機の駆動を禁止する制御部をさらに備えた請求項１から請求項５のいずれか一項に記載の整流子電動機。
【請求項７】
前記ブラシ装置は、前記整流子を中心とした対称な位置に設けられ、
一対の前記ブラシ装置のそれぞれの前記発光部は、前記ブラシホルダーから見て同じ側に配置された請求項１から請求項６のいずれか一項に記載の整流子電動機。
【請求項８】
一対の前記ブラシ装置のそれぞれの前記発光部は、１つの前記発光部を共用している請求項７に記載の整流子電動機。
【請求項９】
一対の前記ブラシ装置のそれぞれの前記受光部は、１つの前記受光部を共用している請求項７又は請求項８に記載の整流子電動機。
【請求項１０】
前記発光部が発した光を前記発光側貫通孔へと導く発光側導光部をさらに備えた請求項１から請求項９のいずれか一項に記載の整流子電動機。
【請求項１１】
前記ブラシホルダーの内側から前記受光側貫通孔を通過した光を前記受光部へと導く受光側導光部をさらに備えた請求項１から請求項１０のいずれか一項に記載の整流子電動機。
【請求項１２】
請求項１から請求項１１のいずれか一項に記載の整流子電動機と、
前記回転軸に固定されたファンと、を備えた電動送風機。
【発明の詳細な説明】
【技術分野】
【０００１】
この発明は、整流子電動機及び電動送風機に関するものである。
【背景技術】
【０００２】
整流子電動機においては、付勢手段により整流子側へ押圧される直流モータのブラシがガイド保持されるガイド保持部（ブラシホルダー）のブラシが挿入されている穴内壁に、発光素子と受光素子とを対向させて設けたブラシ摩耗検出装置を備えたものが知られている（例えば、特許文献１参照）。
【先行技術文献】
【特許文献】
【０００３】
【特許文献１】実開平０２−１０４７６５号公報
【発明の概要】
【発明が解決しようとする課題】
【０００４】
しかしながら、特許文献１に示されるような整流子電動機においては、ブラシが摩耗して交換時期となったことを検知するため、当該検知時にブラシの交換が必要であることを知った使用者が直ちにはブラシ交換等の対応をできない場合がある。そして、このような場合、ブラシ交換を行うまで整流子電動機を駆動させることができない。
【０００５】
特に整流子電動機を用いた電動送風機が電気掃除機等の家庭用電気製品に組み込まれている場合、当該家庭用電気製品を修理に持ち込んだり、代替品の手配を行ったりしなければならない。しかし、修理には一定の時間が必要であり、代替品の手配を直ちできるとは限らないため、使用者が当該家庭用電気製品又はその代替品を使用できない期間が生じてしまい利便性が低下してしまう。
【０００６】
この発明は、このような課題を解決するためになされたものである。その目的は、ブラシが摩耗して整流子電動機が駆動できなくなる前に、代替品の手配等の適切な対応をとるための時間が確保できる整流子電動機及び電動送風機を得ることにある。
【課題を解決するための手段】
【０００７】
この発明に係る整流子電動機は、回転子の回転軸に固定された整流子と、前記整流子の外周に対向して配置されたブラシ装置と、を備え、前記ブラシ装置は、前記整流子の外周面に接触して前記整流子と通電するブラシと、筒状を呈し、内側に前記ブラシが予め設定された移動方向に沿って移動可能に配置されたブラシホルダーと、前記ブラシホルダーの内側に配置され、前記ブラシを前記整流子の外周面に押し付けるバネと、前記ブラシホルダーの一側方に設けられ、前記ブラシホルダーに向けて光を発する発光部と、前記発光部と前記ブラシホルダーを挟む反対側に設けられ、前記発光部が発した光を受光可能な受光部と、を備え、前記ブラシホルダーの前記発光部と対向する側面には、発光側貫通孔が形成され、前記ブラシホルダーの前記受光部と対向する側面には、受光側貫通孔が形成され前記受光部の受光量が予め設定された第１の基準量以上になった場合に、前記ブラシの摩耗限界を検知する検知部と、前記受光部の受光量が前記第１の基準量より小さい値に予め設定された第２の基準量以上になった場合に報知する報知部と、をさらに備える。
【０００８】
また、この発明に係る電動送風機は、上述の構成を備えた整流子電動機と、前記回転軸に固定されたファンと、を備える。
【発明の効果】
【０００９】
この発明に係る整流子電動機及び電動送風機によれば、ブラシが摩耗して整流子電動機が駆動できなくなる前に、代替品の手配等の適切な対応をとるための時間が確保できるという効果を奏する。
【図面の簡単な説明】
【００１０】
【図１】この発明の実施の形態１に係る整流子電動機を備えた電動送風機の断面図である。
【図２】この発明の実施の形態１に係る整流子電動機を備えた電動送風機の断面斜視図である。
【図３】この発明の実施の形態１に係る整流子電動機が備えるブラシ装置の構成を模式的に示す断面図である。
【図４】この発明の実施の形態１に係るブラシ装置の摩耗検知に係る構成を示すブロック図である。
【図５】この発明の実施の形態１に係るブラシ装置のブラシホルダーの側面図である。
【図６】この発明の実施の形態１に係るブラシ装置のブラシの摩耗が進んだ状態を模式的に示す断面図である。
【図７】この発明の実施の形態１に係るブラシ装置のブラシの摩耗が進んだ状態を模式的に示す断面図である。
【図８】この発明の実施の形態１に係るブラシ装置が備える受光部の受光量の時間変化を説明する図である。
【図９】この発明の実施の形態１に係るブラシ装置のブラシ摩耗検知動作の一例を示すフロー図である。
【図１０】この発明の実施の形態１に係るブラシ装置が備える発光部の発光パターンの一例を示す図である。
【図１１】この発明の実施の形態１に係るブラシ装置が備えるブラシホルダーの別例の側面図である。
【図１２】図１１のブラシホルダーの場合における受光部の受光量の時間変化を説明する図である。
【図１３】この発明の実施の形態２に係る整流子電動機が備えるブラシ装置の構成を模式的に示す断面図である。
【図１４】この発明の実施の形態２に係るブラシ装置のブラシの摩耗が進んだ状態を模式的に示す断面図である。
【図１５】この発明の実施の形態２に係るブラシ装置のブラシの摩耗が進んだ状態を模式的に示す断面図である。
【図１６】この発明の実施の形態２に係るブラシ装置が備える受光部の受光量の時間変化を説明する図である。
【図１７】この発明の実施の形態３に係るブラシ装置のブラシ摩耗検知時の動作の一例を示すフロー図である。
【図１８】この発明の実施の形態３に係るブラシ装置のブラシ摩耗検知時の動作の別例を示すフロー図である。
【図１９】この発明の実施の形態４に係る整流子電動機が備えるブラシ装置の構成を模式的に示す断面図である。
【図２０】この発明の実施の形態５に係る整流子電動機が備えるブラシ装置の構成を模式的に示す断面図である。
【図２１】この発明の実施の形態６に係る整流子電動機が備えるブラシ装置の構成の一例を模式的に示す断面図である。
【図２２】この発明の実施の形態６に係る整流子電動機が備えるブラシ装置の構成の別例を模式的に示す断面図である。
【図２３】この発明の実施の形態７に係る整流子電動機が備えるブラシ装置の構成の一例を模式的に示す断面図である。
【図２４】この発明の実施の形態７に係る整流子電動機が備えるブラシ装置の構成の別例を模式的に示す断面図である。
【図２５】この発明の実施の形態８に係る整流子電動機が備えるブラシ装置の構成を模式的に示す断面図である。
【発明を実施するための形態】
【００１１】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１２】
実施の形態１．
図１から図１２は、この発明の実施の形態１に係るものである。図１は整流子電動機を備えた電動送風機の断面図である。図２は整流子電動機を備えた電動送風機の断面斜視図である。図３は整流子電動機が備えるブラシ装置の構成を模式的に示す断面図である。図４はブラシ装置の摩耗検知に係る構成を示すブロック図である。図５はブラシ装置のブラシホルダーの側面図である。図６及び図７はブラシ装置のブラシの摩耗が進んだ状態を模式的に示す断面図である。図８はブラシ装置が備える受光部の受光量の時間変化を説明する図である。図９はブラシ装置のブラシ摩耗検知動作の一例を示すフロー図である。図１０はブラシ装置が備える発光部の発光パターンの一例を示す図である。図１１はブラシ装置が備えるブラシホルダーの別例の側面図である。そして、図１２は図１１のブラシホルダーの場合における受光部の受光量の時間変化を説明する図である。
【００１３】
この発明の実施の形態１に係る電動送風機１００は、図１に示すように、ブロワー部２００とモータ部３００とを備えている。ブロワー部２００は、ファン２１０、ファンカバー２２０及び案内羽根２３０等を備えている。これらの構成については後述する。モータ部３００は、整流子電動機である。つまり、この発明の実施の形態１に係る電動送風機１００は整流子電動機を備えている。
【００１４】
モータ部３００は、フレーム３１０とブラケット３２０とを備えている。フレーム３１０は、モータ部３００の外殻を形成する部材である。フレーム３１０の一端側には、フレームハウジング３１１が設けられている。フレームハウジング３１１は、フレーム３１０に形成された円筒形状の凹部である。
【００１５】
フレーム３１０の他端側は開放されている。このフレーム３１０の開放された他端側には、ブラケット３２０が取り付けられている。ブラケット３２０は、フレーム３１０にネジ等により固着されている。ブラケット３２０は、ブラケットハウジング３２１を備えている。ブラケットハウジング３２１は、ブラケット３２０に形成された円筒形状の凹部である。
【００１６】
整流子電動機であるモータ部３００は、回転子３３０、固定子３５０及び整流子３６０を備えている。回転子３３０は、フレーム３１０の内部空間の中央部に配置される。回転子３３０は、回転子鉄心３３１を備えている。回転子鉄心３３１は、複数の鉄の板材を積層して形成されている。回転子鉄心３３１には、スロットが形成されている。回転子３３０は、回転子鉄心３３１のスロットにコイルを巻回することで構成される。回転子鉄心３３１の中心には、シャフト３３２が固着されている。シャフト３３２は、回転子３３０の回転軸である。
【００１７】
ブラケットハウジング３２１の内部には、前軸受３４１が入り込み保持される。フレームハウジング３１１の内部には、後軸受３４２が入り込み保持される。すなわち、フレームハウジング３１１とブラケットハウジング３２１は、後軸受３４２と前軸受３４１をそれぞれ保持する軸受ハウジングとなる部位である。シャフト３３２の一端は、後軸受３４２により回転可能に支持されている。シャフト３３２の他端側は、前軸受３４１により回転可能に支持されている。また、シャフト３３２の他端側は、前軸受３４１を貫通している。
【００１８】
固定子３５０は、フレーム３１０の内周面に取り付けられている。固定子３５０は、回転子３３０を取り囲むように配置される。固定子３５０は、固定子鉄心３５１を備えている。固定子鉄心３５１は、複数の鉄の板材を積層して形成されている。固定子３５０は、固定子鉄心３５１にコイルを巻回することで構成される。この際、固定子鉄心３５１とコイルとの間には、絶縁材料からなる巻枠が挿入される。固定子３５０は、回転子３３０に作用する磁力を発生させるためのものである。
【００１９】
図１及び図２に示すように、シャフト３３２すなわち回転子３３０の回転軸には、整流子３６０が固定されている。整流子３６０は、回転子３３０と後軸受３４２との間のシャフト３３２に固定されている。整流子３６０は、円柱状を呈し、整流子外周面３６１を有する。回転子３３０が回転すると整流子３６０も一体となって回転する。整流子３６０は、回転子３３０のコイルと電気的に接続されている。
【００２０】
フレーム３１０には、一対のブラシ装置１０が取り付けられている。一対のブラシ装置１０のそれぞれは、シャフト３３２に向けてフレーム３１０の内周側に突出するように設けられている。各ブラシ装置１０は、整流子３６０の外周面に対向して配置される。一対のブラシ装置１０は、整流子３６０を中心にして対称に配置されている。ブラシ装置１０の構成については後述する。
【００２１】
次に、電動送風機１００が備えるブロワー部２００の構成について説明する。図１に示すように、前軸受３４１を貫通したシャフト３３２の他端部には、ブロワー部２００のファン２１０が取り付けられている。つまり、シャフト３３２すなわち前述の回転軸にファン２１０が固定されている。
【００２２】
ブラケット３２０には、ファン２１０を囲うようにしてファンカバー２２０が取り付けられている。ファンカバー２２０におけるファン２１０の中心に対向する部分には、吸込口２２１が形成されている。ファン２１０の外周に沿うようにして、ブラケット３２０に、案内羽根２３０が取り付けられている。案内羽根２３０は、ファン２１０の回転によって吸込口２２１から吸引された空気をモータ部３００へと導入するためのものである。案内羽根２３０は、例えばネジによりブラケット３２０に固定されている。
【００２３】
次に、図３を参照しながら、ブラシ装置１０の構成について説明する。ブラシ装置１０は、ブラシホルダー１２、ブラシ１１、バネ１３及びリード線１４を備えている。ブラシホルダー１２は底を有する中空筒状を呈する。この実施の形態の構成例では、ブラシホルダー１２は４つの壁面部を有する四角筒状である。ブラシホルダー１２の筒状の内側にはブラシ１１が配置される。ここでは、ブラシ１１は四角柱状である。
【００２４】
ブラシ１１は、ブラシホルダー１２の内側において、予め設定された移動方向に移動可能に配置されている。ここでは、ブラシホルダー１２は細長い中空筒状であり、前述の移動方向はブラシホルダー１２の長手方向である。また、ブラシ１１は細長い四角柱状であり、ブラシ１１の長手方向がブラシホルダー１２の長手方向と一致するように配置される。
【００２５】
そして、図２及び図３に示すように、ブラシホルダー１２の長手方向及びブラシ１１の長手方向は、整流子３６０の径方向、換言すれば整流子外周面３６１の法線方向に沿うように配置される。したがって、ブラシ１１は、整流子外周面３６１の法線方向に沿って移動可能なように、ブラシホルダー１２により保持されている。なお、図２中に白抜き矢印で示す方向は、電動送風機１００の動作時における整流子３６０の回転方向である。
【００２６】
ブラシ１１は、導電性を有する材料からなる。具体的に例えば、ブラシ１１は、カーボン樹脂からなる。ブラシ１１の一端側は、ブラシホルダー１２の一端部より外側に突出している。
【００２７】
ブラシホルダー１２の内側には、バネ１３が挿入されている。バネ１３は、ブラシ１１とブラシホルダー１２の底部との間に配置されている。バネ１３は、押しバネである。バネ１３は、ブラシ１１を前述した移動方向に沿って整流子３６０の整流子外周面３６１に押し付ける。このようにバネ１３により付勢されることで、ブラシ１１は、整流子３６０の整流子外周面３６１に接触して整流子３６０と通電する。
【００２８】
リード線１４は、ブラシ１１と固定子の巻線とを電気的に接続する導線である。リード線１４は、ブラシホルダー１２の内側における、さらにバネ１３の内側を通されて配置される。
【００２９】
ブラシホルダー１２の一側方には、発光部４０が設けられている。発光部４０は、ブラシホルダー１２に向けて光を発する。発光部４０は、例えば発光ダイオード（ＬＥＤ）を有している。発光部４０が発する光には、予め設定された特定波長の光が含まれている。
【００３０】
ブラシホルダー１２の他側方には、受光部５０が設けられている。すなわち、受光部５０は発光部４０とブラシホルダー１２を挟む反対側に配置されている。受光部５０は、受光量に応じた信号を出力する。受光部５０は、発光部４０が発した光を受光可能である。すなわち、受光部５０の出力信号は、少なくとも発光部４０が発する光に含まれる前述した特定波長の光の光量に応じて変化する。
【００３１】
ブラシホルダー１２には、発光側貫通孔２０及び受光側貫通孔３０が形成されている。発光側貫通孔２０及び受光側貫通孔３０のそれぞれは、ブラシホルダー１２の内側と外側とを貫通する開口である。発光側貫通孔２０は、ブラシホルダー１２の発光部４０と対向する側面に配置されている。受光側貫通孔３０は、ブラシホルダー１２の受光部５０と対向する側面に配置されている。
【００３２】
発光部４０が発した光は、発光側貫通孔２０を通りブラシホルダー１２の内部に入り得るようになっている。また、受光部５０は、受光側貫通孔３０を通ってブラシホルダー１２の内部から出てきた光を受光できるようになっている。
【００３３】
次に、図４を参照しながら、以上のように構成された発光部４０及び受光部５０を用いたブラシ１１の摩耗検知に係る構成について説明する。受光部５０から出力された信号は、検知部８１及び報知部８３に入力される。検知部８１は、受光部５０の受光量が第１の基準量以上になった場合に、ブラシ１１の摩耗限界を検知する。第１の基準量は、予め設定される。
【００３４】
報知部８３は、受光部５０の受光量が第２の基準量以上になった場合に報知する。第２の基準量は、前述した第１の基準量より小さい値に予め設定される。第１の基準量及び第２の基準量は、例えば記憶部８２に予め記憶されている。そして、検知部８１は、記憶部８２に記憶された第１の基準量を参照して、受光部５０の受光量が第１の基準量以上になったか否かの判定を行う。また、報知部８３は、記憶部８２に記憶された第２の基準量を参照して、受光部５０の受光量が第２基準量以上になったか否かの判定を行う。
【００３５】
発光側貫通孔２０は、例えば図５に示すように矩形状である。すなわち、発光側貫通孔２０は、ブラシ１１の前述した移動方向において一定の幅がある。また、受光側貫通孔３０も、発光側貫通孔２０と同形状とする。
【００３６】
図３に示すようにブラシ１１が摩耗しておらずブラシ１１の前述した移動方向における長さ（以下、単に「ブラシ１１の長さ」という）が十分である場合、発光側貫通孔２０及び受光側貫通孔３０はブラシ１１により塞がれている。よって、発光部４０からの光はブラシ１１により遮られて受光部５０にまで到達しない。
【００３７】
使用時間が経過してブラシ１１の摩耗が進むと、ブラシ１１の長さが短くなる。図６に示すようにブラシ１１のバネ１３側の端部が発光側貫通孔２０にかかるようになると、発光側貫通孔２０の一部は、ブラシ１１により塞がれることなく開かれる。同様に、受光側貫通孔３０の一部も、ブラシ１１により塞がれることなく開かれる。したがって、発光側貫通孔２０と受光側貫通孔３０との間に光が通ることが可能になる。そうすると、発光部４０からの光が、発光側貫通孔２０と受光側貫通孔３０とを通過して受光部５０により受光される。
【００３８】
この際の受光部５０での受光量は、ブラシ１１により塞がれずに開いている発光側貫通孔２０（及び受光側貫通孔３０）の開口面積（以下、単に「開口面積」という）に比例する。したがって、ブラシ１１の摩耗が進むと受光部５０での受光量が増加する。そして、図６に示す状態からさらにブラシ１１の摩耗が進み、図７に示すようにブラシ１１のバネ１３側の端部が発光側貫通孔２０（及び受光側貫通孔３０）を全て通過した状態になると、受光部５０での受光量が最大になる。
【００３９】
以上のことから、使用時間と受光部５０での受光量との関係は、図８に示すようになる。そして、前述した第１の基準値及び第２の基準値は、例えば図８中に示すように設定される。前述の第１の基準値は、ブラシ１１が摩耗限界に達した時の受光部５０での受光量に合わせて設定される。
【００４０】
前述したように、検知部８１は、受光部５０の受光量が第１の基準量以上になった場合に、ブラシ１１の摩耗限界を検知する。ブラシ１１の摩耗限界を検知すると、検知部８１は検知信号を出力する。検知部８１が出力した検知信号は、図４に示す電動機制御部８４に入力される。
【００４１】
電動機制御部８４は、電動送風機１００の動作を制御するための制御回路から構成されている。電動機制御部８４は、検知部８１が出力した検知信号の入力を受けると、以降は電動送風機１００が駆動できないようにする。すなわち、電動機制御部８４は、受光部５０の受光量が前述の第１の基準量以上になった場合に、電動送風機１００つまりモータ部３００（整流子電動機）の駆動を禁止する。
【００４２】
前述したように、報知部８３は、受光部５０の受光量が前述した第２の基準量以上になった場合に報知する。そして、この第２の基準量は、第１の基準量より小さい。したがって、図８からも分かるように、報知部８３による報知は、検知部８１がブラシ１１の摩耗限界を検知するよりも前に行われることになる。報知部８３による報知は、具体的に例えば、スピーカから音声を鳴動させたり、ＬＥＤ等を点灯又は点滅させたりすることにより行われる。
【００４３】
以上のように構成された整流子電動機（モータ部３００）及び電動送風機１００によれば、ブラシ１１の摩耗限界が検知される前に報知を行うことができる。このため、ブラシ１１が摩耗して整流子電動機が駆動できなくなる前に、代替品の手配等の適切な対応をとるための時間が確保できる。
【００４４】
発光部４０の発光動作は、図４に示す発光制御部８５により制御される。発光制御部８５による発光部４０の発光動作の制御例について、図９を参照しながら説明する。図９は、電動送風機１００の動作開始時にブラシ１１の摩耗検知動作を行う場合の動作例を示したフロー図である。
【００４５】
ステップＳ１１において電動送風機１００が動作を開始すると、続くステップＳ１２で発光制御部８５は発光部４０を発光させる。ステップＳ１２の後、処理はステップＳ１３へと進む。ステップＳ１３においては、検知部８１及び報知部８３の一方又は両方は、受光部５０が受光したか否かを確認する。受光部５０で受光していない場合、処理はステップＳ１４へと進む。
【００４６】
ステップＳ１４においては、発光制御部８５は発光部４０の発光を停止させる。ステップＳ１４の後、処理はステップＳ１５へと進む。ステップＳ１５においては、電動機制御部８４は電動送風機１００を通常動作させる。
【００４７】
一方、ステップＳ１３で受光部５０が受光した場合、処理はステップＳ１６へと進む。ステップＳ１６においては、発光制御部８５は発光部４０の発光を停止させる。ステップＳ１６の後、処理はステップＳ１７へと進む。ステップＳ１７においては、ブラシ１１の摩耗の検知動作へと移行する。すなわち、検知部８１は、受光部５０の受光量と前述の第１の基準値とを比較する。そして、受光量が第１の基準値以上であれば、検知部８１はブラシ１１が摩耗限界であることを検知する。また、検知部８１は、受光部５０の受光量と前述の第２の基準値とを比較する。そして、受光量が第２の基準値以上であれば、報知部８３は報知を行う。
【００４８】
なお、発光制御部８５は、発光部４０を予め設定された特定パターンで発光させるようにしてもよい。例えば、発光制御部８５は、図１０に示すように、予め設定された時間間隔で発光部４０を点滅させる。検知部８１及び報知部８３は、受光部５０での受光量が、この特定パターンで変化した場合に、発光部４０からの光を受光部５０が受光していると判定する。そして、検知部８１及び報知部８３は発光部４０からの光を受光部５０が受光していると判定した場合に、前述した特定パターンの光の受光量に基づいて、ブラシ１１が摩耗限界か否か等の検知を行う。このようにすることで、受光部５０が発光部４０からの光以外の光を受光して誤検知が発生することを抑制できる。
【００４９】
なお、図４に示した構成のうち、発光部４０及び受光部５０を除く各部は、例えばマイクロコンピュータにより構成できる。この場合、マイクロコンピュータは、プロセッサ及びメモリを備える。そして、メモリに記憶されたプログラムをプロセッサが実行することにより、予め設定された処理を実行することで、各部の機能を実現する。
【００５０】
図５に示した構成例では、発光側貫通孔２０（及び受光側貫通孔３０）が矩形状であった。しかし、発光側貫通孔２０及び受光側貫通孔３０の形状は矩形状に限られない。発光側貫通孔２０は、ブラシ１１の前述した移動方向に垂直な方向の幅寸法（以下、単に「幅寸法」という）が前述した移動方向に沿った位置に応じて異なるようにしてもよい。
【００５１】
図１１に示すのは、発光側貫通孔２０の幅寸法が、整流子３６０側に近いほど大きくなるようにした例である。そして、図１２に示すのは、発光側貫通孔２０の形状を図１１に示すようにした場合における、受光部の受光量の時間変化である。
【００５２】
ブラシ１１のバネ１３側の端部が発光側貫通孔２０にかかるまでブラシ１１が短くなった後は、使用時間が経過してブラシ１１の摩耗が進むと発光側貫通孔２０の開口面積は、ブラシ１１のバネ１３側の端部が整流子３６０側に近づくほど大きな変化率で拡大する。したがって、この例ではブラシ１１が摩耗限界に近づくと受光部の受光量の変化を大きくできる。このため、検知部８１は、受光部の受光量が前述した第１の基準値以上となったことをより確実に検出できる。
【００５３】
なお、発光側貫通孔２０の幅寸法のパターンは、図１１に示した例に限られない。他に例えば、整流子３６０側に遠いほど大きくなるようにしてもよい。また、受光側貫通孔３０についても同様に、ブラシ１１の幅寸法が前述した移動方向に沿った位置に応じて異なるようにしてもよい。
【００５４】
実施の形態２．
図１３から図１６は、この発明の実施の形態２に係るものである。図１３は整流子電動機が備えるブラシ装置の構成を模式的に示す断面図である。図１４はブラシ装置のブラシの摩耗が進んだ状態を模式的に示す断面図である。図１５はブラシ装置のブラシの摩耗が進んだ状態を模式的に示す断面図である。そして、図１６はブラシ装置が備える受光部の受光量の時間変化を説明する図である。
【００５５】
ここで説明する実施の形態２は、前述した実施の形態１の構成において、発光側貫通孔及び受光側貫通孔の一方又は両方を２つ形成するようにしたものである。以下、この実施の形態２に係る整流子電動機が備えるブラシ装置について、実施の形態１として前述した構成例との相違点を中心に行う。説明を省略した構成については、既に説明した実施の形態１の構成と基本的に同じである。
【００５６】
この実施の形態に係る電動送風機１００のブラシ装置１０は、図１３から図１５に示すように、発光側貫通孔２０として、第１の発光側貫通孔２１及び第２の発光側貫通孔２２の２つが形成される。なお、この実施の形態の説明においては、第１の発光側貫通孔２１及び第２の発光側貫通孔２２を総称して発光側貫通孔２０という。第１の発光側貫通孔２１及び第２の発光側貫通孔２２は、ブラシ１１の前述した移動方向に沿って配置されている。
【００５７】
また、ここで説明する構成例では、受光側貫通孔３０も、第１の受光側貫通孔３１及び第２の受光側貫通孔３２の２つが形成される。なお、この実施の形態の説明においては、第１の受光側貫通孔３１及び第２の受光側貫通孔３２を総称して受光側貫通孔３０という。第１の受光側貫通孔３１及び第２の受光側貫通孔３２は、ブラシ１１の前述した移動方向に沿って配置されている。
【００５８】
第１の発光側貫通孔２１と第１の受光側貫通孔３１とは対向して配置される。また、第２の発光側貫通孔２２と第２の受光側貫通孔３２とは対向して配置される。第１の発光側貫通孔２１及び第１の受光側貫通孔３１は、前述した第２の基準値に対応した位置に配置されている。第２の発光側貫通孔２２及び第２の受光側貫通孔３２は、前述した第１の基準値に対応した位置に配置されている。
【００５９】
以上のように構成されたブラシ装置１０においては、使用時間が経過してブラシ１１の摩耗が進むにつれて、図１６に示すように受光部５０での受光量が変化する。すなわち、まず、図１３に示すように、ブラシ１１のバネ１３側の端部が第１の発光側貫通孔２１及び第１の受光側貫通孔３１よりもブラシホルダー１２の底部側にある時、受光部５０での受光量は図１６中にＡで示す領域の値で変化しない。
【００６０】
また、図１４に示すように、ブラシ１１のバネ１３側の端部が第１の発光側貫通孔２１及び第１の受光側貫通孔３１と第２の発光側貫通孔２２及び第２の受光側貫通孔３２との間にある時、受光部５０での受光量は図１６中にＢで示す領域の値で変化しない。この図１３に示す状態から図１４に示す状態へと移行する途中で、ブラシ１１のバネ１３側の端部は、第１の発光側貫通孔２１及び第１の受光側貫通孔３１にかかる。そして、この際にブラシ１１の摩耗に応じて前述の第２の基準値を跨いで受光部５０での受光量が変化する。
【００６１】
さらに使用時間が経過して図１５に示すように、ブラシ１１のバネ１３側の端部が第２の発光側貫通孔２２及び第２の受光側貫通孔３２よりも整流子３６０側になると、受光部５０での受光量は図１６中にＣで示す領域の値で変化しない。図１４に示す状態から図１５に示す状態へと移行する途中で、ブラシ１１のバネ１３側の端部は、第２の発光側貫通孔２２及び第２の受光側貫通孔３２にかかる。そして、この際にブラシ１１の摩耗に応じて前述の第１の基準値を跨いで受光部５０での受光量が変化する。
【００６２】
以上のように構成されたこの実施の形態に係るブラシ装置１０においても、実施の形態１と同様の効果を奏することができる。加えて、報知部８３が報知すべきブラシ１１の長さになる時と検知部８１が摩耗限界を検知すべきブラシ１１の長さになる時だけ受光部５０での受光量が変化するようにできる。このため、誤検知及び誤報知の発生を抑制できる。
【００６３】
実施の形態３．
図１７及び図１８は、この発明の実施の形態３に係るものである。図１７はブラシ装置のブラシ摩耗検知時の動作の一例を示すフロー図である。そして、図１８のブラシ装置のブラシ摩耗検知時の動作の別例を示すフロー図である。
【００６４】
ここで説明する実施の形態３は、前述した実施の形態１又は実施の形態２の構成において、検知部がブラシの摩耗を検知してから一定の猶予時間の経過後に当該整流子電動機の駆動を禁止するようにしたものである。
【００６５】
以下、この実施の形態３に係る整流子電動機が備えるブラシ装置について、実施の形態１を基にした場合の構成例を説明する。なお、以下の説明は実施の形態１として前述した構成例との相違点を中心に行う。説明を省略した構成については、既に説明した実施の形態１又は実施の形態２の構成と基本的に同じである。
【００６６】
この実施の形態においては、電動機制御部８４は、検知部８１からブラシ１１の摩耗限界となった旨の検知信号を受信しても、直ちには電動送風機１００のモータ部３００の駆動を禁止しない。電動機制御部８４は、検知部８１からの検知信号を受信してから予め設定された猶予時間の経過後に電動送風機１００のモータ部３００の駆動を禁止する。すなわち、この実施の形態においては、電動機制御部８４は、受光部５０の受光量が前述の第１の基準量以上になってから予め設定された猶予時間の経過後に当該整流子電動機すなわちモータ部３００の駆動を禁止する。
【００６７】
次に、図１７及び図１８を参照しながら、この実施の形態におけるブラシ摩耗検知時の動作例について説明する。図１７のフロー図は、ブラシ摩耗検知時の動作の一例を示すものである。
【００６８】
まず、ステップＳ２１で検知部８１がブラシ１１の摩耗限界を検知すると、続くステップＳ２２で、電動機制御部８４は、モータ部３００の動作を終了させるためのタイマーのカウントを開始する。具体的に例えば、タイマー変数ｔを０に初期化する。ステップＳ２２の後、処理はステップＳ２３へと進む。
【００６９】
ステップＳ２３においては、電動機制御部８４は、例えば当該電動送風機１００が内蔵された電気製品の表示部に、モータ部３００の動作終了までの残り時間を表示させる。残り時間は、具体的に例えば１２０分（７２００秒）とする。ステップＳ２３の後、処理はステップＳ２４へと進む。
【００７０】
ステップＳ２４においては、電動機制御部８４は、タイマー変数ｔに１を加算する。そして、電動機制御部８４は、表示部に表示されている残り時間を更新する。このステップＳ２４の処理は、ステップＳ２３の処理の終了後に１秒経過してから実行される。ステップＳ２４の後、処理はステップＳ２５へと進む。
【００７１】
ステップＳ２５においては、電動機制御部８４は、タイマー変数ｔがｔｍａｘに達したか否かを確認する。ｔｍａｘは予め設定されたタイマー変数ｔの最大値である。前述したように、ここでは残り時間は１２０分（７２００秒）にしている。このため、ｔｍａｘは７２００に設定されている。タイマー変数ｔがｔｍａｘに達していなければ、処理はステップＳ２４へと戻る。一方、タイマー変数ｔがｔｍａｘに達していれば、処理はステップＳ２６へと進む。このステップＳ２５の処理は、ステップＳ２４の処理の終了後に１秒経過してから実行される。
【００７２】
ステップＳ２６においては、電動機制御部８４は、モータ部３００すなわち電動送風機１００の動作を停止させる。また、電動機制御部８４は、表示部にブラシ１１が摩耗限界に達したことを表示させる。
【００７３】
次に、図１８のフロー図を参照しながら、この実施の形態におけるブラシ摩耗検知時の動作の別の例について説明する。
【００７４】
まず、ステップＳ３１で検知部８１がブラシ１１の摩耗限界を検知すると、続くステップＳ３２で、電動機制御部８４は、モータ部３００の動作を終了させるためのタイマーのカウントを開始する。具体的に例えば、タイマー変数ｔを０に初期化する。ステップＳ３２の後、処理はステップＳ３３へと進む。
【００７５】
ステップＳ３３においては、電動機制御部８４は、例えば当該電動送風機１００が内蔵された電気製品の表示部に、モータ部３００の動作終了までの残り時間を表示させる。残り時間は、具体的に例えば１２０分（７２００秒）とする。また、電動機制御部８４は、表示部に設けられたＬＥＤをスロー点滅させる。すなわち、後述するステップＳ３６と比較して遅い速度でＬＥＤを点滅させる。ステップＳ３３の後、処理はステップＳ３４へと進む。
【００７６】
ステップＳ３４においては、電動機制御部８４は、タイマー変数ｔに１を加算する。そして、電動機制御部８４は、表示部に表示されている残り時間を更新する。このステップＳ３４の処理は、ステップＳ３３の処理の終了後に１秒経過してから実行される。ステップＳ３４の後、処理はステップＳ３５へと進む。
【００７７】
ステップＳ３５においては、電動機制御部８４は、タイマー変数ｔがｔｍａｘの例えば５／６倍に達したか否かを確認する。ｔｍａｘは予め設定されたタイマー変数ｔの最大値である。前述したように、ここでは残り時間は１２０分（７２００秒）にしている。このため、ｔｍａｘは７２００に設定されている。タイマー変数ｔがｔｍａｘの５／６倍に達していなければ、処理はステップＳ３４へと戻る。一方、タイマー変数ｔがｔｍａｘの５／６倍に達していれば、処理はステップＳ３６へと進む。このステップＳ３５の処理は、ステップＳ３４の処理の終了後に１秒経過してから実行される。
【００７８】
ステップＳ３６においては、電動機制御部８４は、表示部にモータ部３００の動作終了までの残り時間を表示させる。また、電動機制御部８４は、表示部に設けられたＬＥＤを中速点滅させる。すなわち、前述したステップＳ３６と比較して速く、かつ、後述するステップＳ３９と比較して遅い速度でＬＥＤを点滅させる。ステップＳ３６の後、処理はステップＳ３７へと進む。
【００７９】
ステップＳ３７においては、電動機制御部８４は、タイマー変数ｔに１を加算する。そして、電動機制御部８４は、表示部に表示されている残り時間を更新する。このステップＳ３７の処理は、ステップＳ３６の処理の終了後に１秒経過してから実行される。ステップＳ３７の後、処理はステップＳ３８へと進む。
【００８０】
ステップＳ３８においては、電動機制御部８４は、タイマー変数ｔがｔｍａｘに達したか否かを確認する。タイマー変数ｔがｔｍａｘに達していなければ、処理はステップＳ３７へと戻る。一方、タイマー変数ｔがｔｍａｘに達していれば、処理はステップＳ３９へと進む。このステップＳ３８の処理は、ステップＳ３７の処理の終了後に１秒経過してから実行される。
【００８１】
ステップＳ３９においては、電動機制御部８４は、モータ部３００すなわち電動送風機１００の動作を停止させる。また、電動機制御部８４は、表示部にブラシ１１が摩耗限界に達したことを表示させる。この際、電動機制御部８４は、表示部のＬＥＤを高速点滅させる。すなわち、前述したステップＳ３６と比較して速い速度でＬＥＤを点滅させる。
【００８２】
以上のように構成された整流子電動機（モータ部３００）及び電動送風機１００も、実施の形態１又は実施の形態２と同様の効果を奏することができる。そして、受光部５０での受光量が前述の第２の基準値に達して報知部８３が一度報知した後もブラシ１１が摩耗し続けて摩耗限界に達した場合であっても、一定の猶予時間が経過するまでは電動送風機１００（整流子電動機）を使用できるようにすることで、前述の報知後では代替品の手配等の対応が間に合わなかったとしても、他の手段を講じる等の更なる対応をとるための時間を確保できる。また、この際、電動送風機１００（整流子電動機）が使用可能である残り時間を表示部に表示して知らせることで、使用者は、対応に必要な時間等を勘案しつつ、電動送風機１００（整流子電動機）の使用頻度等を調整できる。
【００８３】
実施の形態４．
図１９は、この発明の実施の形態４に係るもので、整流子電動機が備えるブラシ装置の構成を模式的に示す断面図である。
【００８４】
ここで説明する実施の形態４は、前述した実施の形態１から実施の形態３のいずれかの構成のブラシ装置が整流子を中心にして対称に２つ設けられている場合に、それぞれの発光部がブラシホルダーから見て同じ側に配置されるようにしたものである。
【００８５】
以下、この実施の形態４に係る整流子電動機が備えるブラシ装置について、実施の形態１を基にした場合の構成例を説明する。なお、以下の説明は実施の形態１として前述した構成例との相違点を中心に行う。説明を省略した構成については、既に説明した実施の形態１から実施の形態３のいずれかの構成と基本的に同じである。
【００８６】
この実施の形態に係るブラシ装置１０は、図１９に示すように、整流子３６０を中心とした対称な位置に対になって設けられている。これは、実施の形態１でも説明した通りである。以降の説明で参照する図１９から図２５においては、対となる２つのブラシ装置１０の一方については符号の後ろに「ａ」を付し、他方については「ｂ」を付して区別している。各ブラシ装置１０の構成要素に関しても同様である。
【００８７】
それぞれのブラシ装置１０に、発光部４０及び受光部５０が設けられている。また、それぞれのブラシ装置１０のブラシホルダー１２には、発光側貫通孔２０及び受光側貫通孔３０が形成されている。
【００８８】
そして、同図に示すように、一対のブラシ装置１０（同図中の符号１０ａ及び１０ｂ）のそれぞれの発光部４０（符号４０ａ及び４０ｂ）は、ブラシホルダー１２（符号１２ａ及び１２ｂ）から見て同じ側に配置されている。実施の形態１で前述したように、受光部５０は発光部４０とブラシホルダー１２を挟む反対側に配置されている。したがって、この実施の形態では、一対のブラシ装置１０のそれぞれの受光部５０（符号５０ａ及び５０ｂ）も、ブラシホルダー１２から見て同じ側に配置されている。
【００８９】
これは、一対のブラシ装置１０における発光側貫通孔２０及び受光側貫通孔３０の関係についても同様である。すなわち、一方のブラシ装置１０の発光側貫通孔２０（例えば２０ａ）は、一方の発光部４０（４０ａ）と対向している。また、他方のブラシ装置１０の発光側貫通孔２０（２０ｂ）は、他方の発光部４０（４０ｂ）と対向している。それぞれの受光側貫通孔３０と受光部５０についても同様である。
【００９０】
以上のように構成された整流子電動機（モータ部３００）及び電動送風機１００も、実施の形態１から実施の形態３のいずれかと同様の効果を奏することができる。そして、さらに一対のブラシ装置１０のそれぞれの発光部４０をブラシホルダー１２から見て同じ側にすることで、発光部４０までの配線等の構成をより簡潔にできる。また、受光部５０の配線等についても同様に簡潔にできる。
【００９１】
実施の形態５．
図２０は、この発明の実施の形態５に係るもので、整流子電動機が備えるブラシ装置の構成を模式的に示す断面図である。
【００９２】
ここで説明する実施の形態５は、前述した実施の形態４の構成において、一対のブラシ装置で１つの発光部を共用するようにしたものである。以下、この実施の形態５に係る整流子電動機が備えるブラシ装置について、実施の形態４を基にした場合の構成例を説明する。なお、以下の説明は実施の形態４として前述した構成例との相違点を中心に行う。説明を省略した構成については、既に説明した実施の形態１から実施の形態４のいずれかの構成と基本的に同じである。
【００９３】
図２０に示すように、この実施の形態においては、一対のブラシ装置１０について発光部４０は１つだけ設置されている。発光部４０が発した光は、両方のブラシ装置１０の発光側貫通孔２０（２０ａ及び２０ｂ）からそれぞれのブラシホルダー１２（１２ａ及び１２ｂ）内に入り得るようになっている。このように、一対のブラシ装置１０のそれぞれの発光部は、１つの発光部４０を共用している。
【００９４】
以上のように構成された整流子電動機（モータ部３００）及び電動送風機１００も、実施の形態４と同様の効果を奏することができる。そして、さらに１つの発光部４０で一対のブラシ装置１０のブラシ１１の摩耗を検知できるため、構成をさらに簡潔にでき、装置製造費用の削減を図ることが可能である。
【００９５】
実施の形態６．
図２１及び図２２は、この発明の実施の形態６に係るものである。図２１は整流子電動機が備えるブラシ装置の構成の一例を模式的に示す断面図である。図２２は整流子電動機が備えるブラシ装置の構成の別例を模式的に示す断面図である。
【００９６】
ここで説明する実施の形態６は、前述した実施の形態４又は実施の形態５の構成において、一対のブラシ装置で１つの受光部を共用するようにしたものである。以下、この実施の形態６に係る整流子電動機が備えるブラシ装置について、実施の形態４及び実施の形態５のそれぞれを基にした場合の構成例を説明する。なお、以下の説明は実施の形態４又は実施の形態５として前述した構成例との相違点を中心に行う。説明を省略した構成については、既に説明した実施の形態１から実施の形態５のいずれかの構成と基本的に同じである。
【００９７】
図２１に示すのは、実施の形態４の構成を基にした、この実施の形態に係る一対のブラシ装置１０の構成である。そして、図２２に示すのは、実施の形態５の構成を基にした、この実施の形態に係る一対のブラシ装置１０の構成である。これらの図に示すように、この実施の形態においては、一対のブラシ装置１０について受光部５０は１つだけ設置されている。受光部５０は、両方のブラシ装置１０の受光側貫通孔３０（３０ａ及び３０ｂ）から出てきた光を受光し得るようになっている。このように、一対のブラシ装置１０のそれぞれの受光部は、１つの受光部５０を共用している。
【００９８】
以上のように構成された整流子電動機（モータ部３００）及び電動送風機１００も、実施の形態４又は実施の形態５と同様の効果を奏することができる。そして、さらに１つの受光部５０で一対のブラシ装置１０のブラシ１１の摩耗を検知できるため、構成をさらに簡潔にでき、装置製造費用の削減を図ることが可能である。
【００９９】
実施の形態７．
図２３及び図２４は、この発明の実施の形態７に係るものである。図２３は整流子電動機が備えるブラシ装置の構成の一例を模式的に示す断面図である。図２４は整流子電動機が備えるブラシ装置の構成の別例を模式的に示す断面図である。
【０１００】
ここで説明する実施の形態７は、前述した実施の形態１から実施の形態６のいずれかの構成において、ブラシホルダーの内側から受光側貫通孔を通過した光を受光側導光部により受光部へと導くようにしたものである。以下、この実施の形態７に係る整流子電動機が備えるブラシ装置について、実施の形態６を基にした場合の構成例を説明する。なお、以下の説明は実施の形態６として前述した構成例との相違点を中心に行う。説明を省略した構成については、既に説明した実施の形態１から実施の形態６のいずれかの構成と基本的に同じである。
【０１０１】
この実施の形態に係るブラシ装置１０には、図２３及び図２４に示すように、受光側導光部７０が備えられている。受光側導光部７０は、ブラシホルダー１２の内側から受光側貫通孔３０を通過した光を受光部５０へと導くものである。受光側導光部７０は、例えば光ファイバーである。受光側導光部７０の一端面は、受光部５０の受光面に対向して配置されている。受光側導光部７０の他端面は、受光側貫通孔３０の開口面に対向して配置されている。
【０１０２】
図２３及び図２４はいずれも、一対のブラシ装置１０が１つの受光部５０を共用している構成例である。このため、受光側導光部７０の受光部５０側は１つであるのに対し、受光側導光部７０の受光側貫通孔３０側は二手に分岐している。そして、受光側導光部７０の分岐側が、２つの受光側貫通孔３０（３０ａ及び３０ｂ）の両方に対向して配置されている。
【０１０３】
以上のように構成された整流子電動機（モータ部３００）及び電動送風機１００も、実施の形態１から実施の形態６のいずれかと同様の効果を奏することができる。そして、さらにブラシホルダー１２内を通過して受光側貫通孔３０から出てきた光を、より確実に受光部５０で捉えることができる。したがって、外光等の影響を受け難く、ブラシ１１の摩耗検知精度を向上できる。
【０１０４】
実施の形態８．
図２５は、この発明の実施の形態８に係るもので、整流子電動機が備えるブラシ装置の構成を模式的に示す断面図である。
【０１０５】
ここで説明する実施の形態８は、前述した実施の形態１から実施の形態７のいずれかの構成において、発光側導光部により発光部が発した光を発光側貫通孔へと導くようにしたものである。以下、この実施の形態８に係る整流子電動機が備えるブラシ装置について、実施の形態７を基にした場合の構成例を説明する。なお、以下の説明は実施の形態７として前述した構成例との相違点を中心に行う。説明を省略した構成については、既に説明した実施の形態１から実施の形態７のいずれかの構成と基本的に同じである。
【０１０６】
この実施の形態に係るブラシ装置１０には、図２５に示すように、発光側導光部６０が備えられている。発光側導光部６０は、発光部４０が発した光を発光側貫通孔２０へと導くものである。発光側導光部６０は、例えば光ファイバーである。発光側導光部６０の一端面は、発光部４０の発光面に対向して配置されている。発光側導光部６０の他端面は、発光側貫通孔２０の開口面に対向して配置されている。
【０１０７】
ここで説明するのは、一対のブラシ装置１０が１つの発光部４０を共用している構成例である。このため、発光側導光部６０の発光部４０側は１つであるのに対し、発光側導光部６０の発光側貫通孔２０側は二手に分岐している。そして、発光側導光部６０の分岐側が、２つの発光側貫通孔２０（２０ａ及び２０ｂ）の両方に対向して配置されている。
【０１０８】
以上のように構成された整流子電動機（モータ部３００）及び電動送風機１００も、実施の形態１から実施の形態７のいずれかと同様の効果を奏することができる。そして、さらに発光部４０が発した光をより確実に発光側貫通孔２０に当てることができる。したがって、外光等の影響を受け難く、ブラシ１１の摩耗検知精度を向上できる。
【符号の説明】
【０１０９】
１０    ブラシ装置
１１    ブラシ
１２    ブラシホルダー
１３    バネ
１４    リード線
２０    発光側貫通孔
２１    第１の発光側貫通孔
２２    第２の発光側貫通孔
３０    受光側貫通孔
３１    第１の受光側貫通孔
３２    第２の受光側貫通孔
４０    発光部
５０    受光部
６０    発光側導光部
７０    受光側導光部
８１    検知部
８２    記憶部
８３    報知部
８４    電動機制御部
８５    発光制御部
１００    電動送風機
２００    ブロワー部
２１０    ファン
２２０    ファンカバー
２２１    吸込口
２３０    案内羽根
３００    モータ部
３１０    フレーム
３１１    フレームハウジング
３２０    ブラケット
３２１    ブラケットハウジング
３３０    回転子
３３１    回転子鉄心
３３２    シャフト
３４１    前軸受
３４２    後軸受
３５０    固定子
３５１    固定子鉄心
３６０    整流子
３６１    整流子外周面
【図１】
2019161784.tif 000003
【図２】
2019161784.tif 000004
【図３】
2019161784.tif 000005
【図４】
2019161784.tif 000006
【図５】
2019161784.tif 000007
【図６】
2019161784.tif 000008
【図７】
2019161784.tif 000009
【図８】
2019161784.tif 000010
【図９】
2019161784.tif 000011
【図１０】
2019161784.tif 000012
【図１１】
2019161784.tif 000013
【図１２】
2019161784.tif 000014
【図１３】
2019161784.tif 000015
【図１４】
2019161784.tif 000016
【図１５】
2019161784.tif 000017
【図１６】
2019161784.tif 000018
【図１７】
2019161784.tif 000019
【図１８】
2019161784.tif 000020
【図１９】
2019161784.tif 000021
【図２０】
2019161784.tif 000022
【図２１】
2019161784.tif 000023
【図２２】
2019161784.tif 000024
【図２３】
2019161784.tif 000025
【図２４】
2019161784.tif 000026
【図２５】
2019161784.tif 000027